(57)【要約】      （修正有）【課題】機能選択装置及びその操作方法を提供する。【解決手段】機能選択装置は、複数の機能画像を有する機能選択インタフェース５０、表示モジュール１４及び機能モジュール１８を備え、表示モジュール１４は、ダイヤル１４０、タイムスケール１４２及び少なくとも一つの指示器１４４を備え、機能モジュール１８は、導電材料層を介して信号の変化を検知するタッチ検出ユニットの信号の変化に応じて対応する命令を出力して機能画像５２の一つに対応する機能を実行するプロセッサを備える。【選択図】図２
2019128345.tif 000002
【特許請求の範囲】
【請求項１】
上蓋、機能選択インタフェース、ケース、下蓋、表示モジュール及び機能モジュールを含む機能選択装置であって、
前記機能選択インタフェースは前記上蓋の下表面に設置され、且つ、複数の機能画像及び導電材料層を含んでおり、前記導電材料層は複数の互いに接続されていない導電材料を有し、前記導電材料は前記機能画像の上方又は下方に形成されており、
前記上蓋、前記ケース及び前記下蓋は収容空間を形成するように上から下の順に組み合わせされて、
前記表示モジュールは前記収容空間に設置されており、前記表示モジュールは、ダイヤル、前記ダイヤルに設置されたタイムスケール及び前記タイムスケールに設置された少なくとも一つの指示器を備えており、
前記機能モジュールは前記収容空間に設置されており、
前記機能モジュールはタッチ検出ユニット及びプロセッサを含んでおり、
前記タッチ検出ユニットは、前記機能選択インタフェースが有する前記導電材料層を介して信号の変化を検知することに用いられ、そのうち、前記の信号の変化は、前記上蓋又はその上方で実行された動作及び前記機能画像のいずれかに対応することにより生成されており、
前記プロセッサは、前記の信号の変化に応じて対応する命令を出力して、前記機能画像の前記いずれかに対応する機能を実行することに用いられる、ことを特徴とする機能選択装置。
【請求項２】
前記機能画像の位置は前記上蓋の前記下表面のエッジ領域に対応する、ことを特徴とする請求項１に記載の機能選択装置。
【請求項３】
前記プロセッサは、対応する命令を出力して前記機能画像のいずれかに対応する機能を実行する前に、まず、前記の少なくとも一つの指示器が前記機能画像の前記いずれかをポインティングするように制御する、ことを特徴とする請求項１に記載の機能選択装置。
【請求項４】
前記機能画像のいずれかは、前記の少なくとも一つの指示器がローカルタイム表示モードからデュアルタイム表示モードに切り替えることを含む、ことを特徴とする請求項１に記載の機能選択装置。
【請求項５】
前記機能画像のいずれかは、前記の少なくとも一つの指示器がタイム表示モードからコード表モードに切り替えることにより、前記の少なくとも一つの指示器が命令を受信した後にタイミングを開始することを含む、ことを特徴とする請求項１に記載の機能選択装置。
【請求項６】
前記の少なくとも一つの指示器は、時針、分針及び秒針を含んでおり、前記機能画像のいずれかは、前記の少なくとも一つの指示器がタイム表示モードから日付／曜日表示モードに切り替えることを含み、前記時針は日付数字の十の位を示し、前記分針は日付数字の一の位を示し、前記秒針は一週間のある日を示す、ことを特徴とする請求項１に記載の機能選択装置。
【請求項７】
前記機能画像のいずれかは、外部装置を制御して電話をかける機能を実行することを含む、ことを特徴とする請求項１に記載の機能選択装置。
【請求項８】
前記機能画像のいずれかは、外部装置を制御してＳＯＳ通知の送信機能又はロケーション送信機能を実行することを含む、ことを特徴とする請求項１に記載の機能選択装置。
【請求項９】
前記機能画像のいずれかは、時刻修正又は時刻合わせ機能を実行することを含む、ことを特徴とする請求項１に記載の機能選択装置。
【請求項１０】
上蓋、機能選択インタフェース、ケース、下蓋、表示モジュール及び機能モジュールを含む機能選択装置であって、
前記機能選択インタフェースは、前記上蓋の外側に設置され、且つ、複数の機能画像、誘電体材料層及び導電材料層を含んでおり、そのうち、前記機能画像は前記誘電体材料層の上に形成されており、前記導電材料層は前記誘電体材料層の下に形成されており、
前記上蓋、前記ケース及び前記下蓋は収容空間を形成するように上から下の順に組み合わせされて、
前記表示モジュールは前記収容空間に設置されており、前記表示モジュールは、ダイヤル、前記ダイヤルに設置されたタイムスケール及び前記タイムスケールに設置された少なくとも一つの指示器を備えており、
前記機能モジュールは前記収容空間に設置されており、
前記機能モジュールは、タッチ検出ユニット及びプロセッサを備えており、
前記タッチ検出ユニットは、前記機能選択インタフェースが有する前記導電材料層を介して信号の変化を検知することに用いられ、そのうち、前記の信号の変化は、前記機能選択インタフェース又はその上方で実行される動作によって生成されており、
前記プロセッサは、前記の信号の変化に応じて対応する命令を出力して、前記機能画像の前記いずれかに対応する機能を実行することに用いられる、ことを特徴とする機能選択装置。
【請求項１１】
前記プロセッサは、対応する命令を出力して前記機能画像のいずれかに対応する機能を実行する前に、まず、前記の少なくとも一つの指示器が前記機能画像の前記いずれかをポインティングするように制御する、ことを特徴とする請求項１０に記載の機能選択装置。
【請求項１２】
前記機能画像のいずれかは、前記の少なくとも一つの指示器がローカルタイム表示モードからデュアルタイム表示モードに切り替えることを含む、ことを特徴とする請求項１０に記載の機能選択装置。
【請求項１３】
前記機能画像のいずれかは、前記の少なくとも一つの指示器がタイム表示モードからコード表モードに切り替えることにより、前記の少なくとも一つの指示器が命令を受信した後にタイミングを開始することを含む、請求項１０に記載の機能選択装置。
【請求項１４】
前記の少なくとも一つの指示器は、時針、分針及び秒針を備えており、前記機能画像のいずれかは、前記の少なくとも一つの指示器がタイム表示モードから日付／曜日表示モードに切り替えることを含み、前記時針は日付数字の十の位を示し、前記分針は日付数字の一の位を示し、前記秒針は一週間のある日を示す、請求項１０に記載の機能選択装置。
【請求項１５】
前記機能画像のいずれかは、外部装置を制御して電話をかける機能を実行することを含む、請求項１０に記載の機能選択装置。
【請求項１６】
前記機能画像のいずれかは、外部装置を制御してＳＯＳ通知の送信機能又はロケーション送信機能を実行することを含む、請求項１０に記載の機能選択装置。
【請求項１７】
前記機能画像のいずれかは、時刻修正又は時刻合わせ機能を実行することを含む、請求項１０に記載の機能選択装置。
【請求項１８】
機能選択装置の操作方法であって、
前記機能選択装置は、上蓋、機能選択インタフェース、ケース、下蓋、表示モジュール及び機能モジュールを含んでおり、前記機能選択インタフェースは前記上蓋の下表面に設置され、且つ、複数の機能画像及び導電材料層を有しており、前記導電材料層は複数の互いに接続されていない導電材料を有し、前記導電材料は前記機能画像の上方又は下方に形成されており、前記上蓋、前記ケース及び前記下蓋は収容空間を形成するように上から下の順に組み合わせされて、前記表示モジュールは前記収容空間に設置されており、前記表示モジュールは、ダイヤル、前記ダイヤルに設置されたタイムスケール及び前記タイムスケールに設置された少なくとも一つの指示器を含んでおり、前記機能モジュールは前記収容空間に設置され、且つ、タッチ検出ユニット及びプロセッサを含んでおり、
前記機能選択装置の操作方法は、
前記タッチ検出ユニットは前記機能選択インタフェースが有する前記導電材料層を介して信号の変化を検知し、そのうち、前記の信号の変化は、前記上蓋又はその上方で実行された動作及び前記機能画像のいずれかに対応することにより生成されること、及び、
前記プロセッサは、前記の信号の変化に応じて対応する命令を出力して、前記機能画像の前記いずれかに対応する機能を実行することを含む、機能選択装置の操作方法。
【請求項１９】
前記プロセッサが前記の信号の変化に応じて対応する命令を出力して、前記機能画像の前記いずれかに対応する機能を実行するステップの前に、
前記機能選択装置の操作方法は、前記プロセッサは前記少なくとも一つの指示器が前記機能画像の前記いずれかをポインティングするように制御することを含む、請求項１８に記載の機能選択装置の操作方法。
【請求項２０】
機能選択装置の操作方法であって、
前記機能選択装置は、上蓋、機能選択インタフェース、ケース、下蓋、表示モジュール及び機能モジュールを含んでおり、前記機能選択インタフェースは前記上蓋の外側に設置され、且つ、複数の機能画像、誘電体材料層及び導電材料層を含んでおり、前記機能画像は前記誘電体材料層の上に形成されており、前記導電材料層は前記誘電体材料層の下に形成されており、前記ケース及び前記下蓋は収容空間を形成するように上から下の順に組み合わせされて、前記表示モジュールは前記収容空間に設置されており、前記表示モジュールはダイヤル、前記ダイヤルに設置されたタイムスケール及び前記タイムスケールに設置された少なくとも一つの指示器を含んでおり、前記機能モジュールは前記収容空間に設置され、且つ、タッチ検出ユニット及びプロセッサを含んでおり、
前記機能選択装置の操作方法は、
前記タッチ検出ユニットは前記機能選択インタフェースが有する前記導電材料層を介して信号の変化を検知し、そのうち、前記の信号の変化は、前記機能選択インタフェース又はその上方で実行される動作によって生成されること、及び、
前記プロセッサは、前記の信号の変化に応じて対応する命令を出力して、前記機能画像の前記いずれかに対応する機能を実行することを含む、機能選択装置の操作方法。
【請求項２１】
前記プロセッサが前記の信号の変化に応じて対応する命令を出力して、前記機能画像の前記いずれかに対応する機能を実行するステップの前に、
前記機能選択装置の操作方法は、前記プロセッサは前記の少なくとも一つの指示器が前記機能画像の前記いずれかをポインティングするように制御することを含む、請求項２０に記載の機能選択装置の操作方法。
【発明の詳細な説明】
【技術分野】
【０００１】
本発明は情報指示方式に関し、特に、機能選択装置及びその操作方法（ＦＵＮＣＴＩＯＮ ＳＥＬＥＣＴＩＯＮ  ＤＥＶＩＣＥ ＡＮＤ ＯＰＥＲＡＴＩＮＧ ＭＥＴＨＯＤ ＴＨＥＲＥＯＦ）に関する。
【背景技術】
【０００２】
現在、ウェアラブル装置は、外部装置（例えば、携帯電話）と通信可能な入力デバイスとして製造するように開発された。例えば、従来の腕時計（即ち、指針式腕時計）に無線アンテナ及び機能モジュールを配置することにより、腕時計をスマート腕時計として製造することはますます一般的になっている。
【０００３】
従来の腕時計は、タッチスクリーンも電子ノブ（ボタン）も有さないので、腕時計内に様々な通信及び演算モジュール又はセンサーを装備しても、従来の腕時計は、実体のタイム表示アセンブリを通じて時間を表示するだけで、従来の腕時計は、実行された装置あるいは方法がユーザーに利用可能になるように、他の情報（例えば、センサーが検知した結果）を表示したり、あるいは複数の機能を表示したりすることができない。
【０００４】
そのため、上記の従来の技術的問題に対して解決方法を提出する必要がある。
【発明の概要】
【０００５】
本発明は、従来の技術的問題を解決できる機能選択装置及びその操作方法を提供する。
【０００６】
本発明の機能選択装置は、上蓋、機能選択インタフェース、ケース、下蓋、表示モジュール及び機能モジュールを含み、前記機能選択インタフェースは前記上蓋の下表面に設置され、且つ、複数の機能画像及び導電材料層を有し、前記導電材料層は複数の互いに接続されていない導電材料を有し、前記導電材料は前記機能画像の上方又は下方に形成され、前記上蓋、前記ケース及び前記下蓋は収容空間を形成するように上から下の順に組み合わせされて、前記表示モジュールは前記収容空間に設置され、前記表示モジュールはダイヤル、前記ダイヤルに設置されたタイムスケール及び前記タイムスケールに設置された少なくとも一つの指示器を含み、前記機能モジュールは前記収容空間に設置され、
前記機能モジュールは、タッチ検出ユニット及びプロセッサを含み、前記タッチ検出ユニットは、前記機能選択インタフェースが有する前記導電材料層を介して信号の変化を検知することに用いられ、そのうち、前記の信号の変化は、前記上蓋又はその上方で実行された動作及び前記機能画像のいずれかに対応することにより生成され、前記プロセッサは、前記の信号の変化に応じて対応する命令を出力して、前記機能画像の前記いずれかに対応する機能を実行することに用いられる。
【０００７】
本発明の機能選択装置は、上蓋、機能選択インタフェース、ケース、下蓋、表示モジュール及び機能モジュールを含み、前記機能選択インタフェースは、前記上蓋の外側に設置され、且つ、複数の機能画像、誘電体材料層、及び導電材料層を含み、そのうち、前記機能画像は前記誘電体材料層の上に、前記導電材料層は前記誘電体材料層の下に形成され、前記上蓋、前記ケース及び前記下蓋は収容空間を形成するように上から下の順に組み合わせされて、前記表示モジュールは前記収容空間に設置され、前記表示モジュールはダイヤル、前記ダイヤルに設置されたタイムスケール及び前記タイムスケールに設置された少なくとも一つの指示器を含み、前記機能モジュールは前記収容空間に設置され、
前記機能モジュールは、タッチ検出ユニット及びプロセッサを含み、前記タッチ検出ユニットは、前記機能選択インタフェースが有する前記導電材料層を介して信号の変化を検知することに用いられ、そのうち、前記の信号の変化は、前記機能選択インタフェース又はその上方で実行される動作によって生成されており、前記プロセッサは、前記の信号の変化に応じて対応する命令を出力して、前記機能画像の前記いずれかに対応する機能を実行することに用いられる。
【０００８】
本発明の機能選択装置の操作方法において、前記機能選択装置は、上蓋、機能選択インタフェース、ケース、下蓋、表示モジュール及び機能モジュールを含んでおり、前記機能選択インタフェースは前記上蓋の下表面に設置され、且つ、複数の機能画像及び導電材料層を有しており、前記導電材料層は複数の互いに接続されていない導電材料を有し、前記導電材料は前記機能画像の上方又は下方に形成されており、前記上蓋、前記ケース及び前記下蓋は収容空間を形成するように上から下の順に組み合わせされて、前記表示モジュールは前記収容空間に設置されており、前記表示モジュールはダイヤル、前記ダイヤルに設置されたタイムスケール及び前記タイムスケールに設置された少なくとも一つの指示器を含んでおり、前記機能モジュールは前記収容空間に設置され、且つ、タッチ検出ユニット及びプロセッサを含んでおり、前記機能選択装置の操作方法は、前記タッチ検出ユニットは前記機能選択インタフェースが有する前記導電材料層を介して信号の変化を検知し、そのうち、前記の信号の変化は、前記上蓋又はその上方で実行された動作及び前記機能画像のいずれかに対応することにより生成されること、及び、前記プロセッサは、前記の信号の変化に応じて対応する命令を出力して、前記機能画像の前記いずれかに対応する機能を実行することを含む。
【０００９】
本発明の機能選択装置の操作方法において、前記機能選択装置は、上蓋、機能選択インタフェース、ケース、下蓋、表示モジュール及び機能モジュールを含み、前記機能選択インタフェースは前記上蓋の外側に設置され、且つ、複数の機能画像、誘電体材料層及び導電材料層を含み、前記機能画像は前記誘電体材料層の上に形成され、前記導電材料層は前記誘電体材料層の下に形成され、前記ケース及び前記下蓋は収容空間を形成するように上から下の順に組み合わせされて、前記表示モジュールは前記収容空間に設置され、前記表示モジュールはダイヤル、前記ダイヤルに設置されたタイムスケール及び前記タイムスケールに設置された少なくとも一つの指示器を含み、前記機能モジュールは前記収容空間に設置され、且つ、タッチ検出ユニット及びプロセッサを含んでおり、前記機能選択装置の操作方法は、前記タッチ検出ユニットは前記機能選択インタフェースが有する前記導電材料層を介して信号の変化を検知し、そのうち、前記の信号の変化は、前記機能選択インタフェース又はその上方で実行される動作によって生成されること、及び、前記プロセッサは、前記の信号の変化に応じて対応する命令を出力して、前記機能画像の前記いずれかに対応する機能を実行することを含む。
【００１０】
本発明の機能選択装置及びその操作方法は、選択及び切り替えに利用可能な複数の機能を有するので、機能選択装置が時間以外の他の情報を表示して複数の機能を実行することができる。
【図面の簡単な説明】
【００１１】
【図１】本発明の一つの実施例に係る機能選択装置を示す上面図である。
【図２】図１の機能選択装置を示す分解斜視図である。
【図３】図１の機能選択装置を示す断面図である。
【図４】本発明の一つの実施例に係るコントロールユニットがモバイル端末と無線通信を行うことを示す模式図である。
【図５】本発明の一つの実施例に係る機能選択インタフェースが前記上蓋に形成されていることを示す模式図である。
【図６】前記機能選択インタフェースを示す模式図である。
【図７】本発明の他の一つの実施例に係る機能選択インタフェースが前記上蓋の外側に形成されていることを示す模式図である。
【図８】本発明の一つの実施例に係る機能選択装置の操作方法を示すフローチャート図である。
【図９】本発明の他の一つの実施例に係る機能選択装置の操作方法を示すフローチャート図である。
【発明を実施するための形態】
【００１２】
本発明に係る機能選択装置は、近距離通信モジュールが機能選択装置に設置されていることを含み、前記機能選択装置は腕時計であってもよいが、これに限定されない。図１〜図３を参照し、図１は本発明の一つの実施例に係る機能選択装置を示す上面図であり、図２は図１の機能選択装置を示す分解斜視図であり、図３は図１の機能選択装置を示す断面図である。
【００１３】
前記機能選択装置は、上蓋１０、機能選択インタフェース５０（導電材料層１２及び複数の機能画像５２を有する）、表示モジュール１４、ムーブメント１６、機能モジュール１８、ケース２０、リュウズ２２、電池２４及び下蓋２６を備えている。
【００１４】
本実施例の一つの特徴は、前記機能選択インタフェース５０は、前記上蓋１０の下表面に設置され、且つ、複数の機能画像５２を有する（例えば、プリント又は付着）ことにある。前記機能画像５２は異なる機能にそれぞれ対応しており、後に詳しく述べるが、前記機能画像５２は前記機能選択インタフェース５０の一部だけであり、前記機能選択インタフェース５０はさらに前記導電材料層１２を有する。
【００１５】
前記上蓋１０、前記ケース２０及び前記下蓋２６は収容空間２８を形成するように上から下の順に組み合わせされて。前記上蓋１０、前記ケース２０及び前記下蓋２６は、前記機能選択装置内部の機械及び/又は電子アセンブリを保護することに用いられる。
【００１６】
前記上蓋１０は透明な材質（例えば、ガラス製品）であり、前記導電材料層１２は複数の互いに接続されていない（電気的に互いに接続されていない）導電材料１２０を有する。まず、前記機能画像５２は前記上蓋１０の前記下表面に設置され又は形成され、これらの互いに接続されていない導電材料１２０は、１対１で前記機能画像５２の下表面に垂直に付着され又は形成される。
【００１７】
他の一つの実施例において、前記の互いに接続されていない導電材料１２０は前記上蓋１０と前記機能画像５２との間に形成してもいいため、前記導電材料層１２の互いに接続されていない導電材料１２０は透明導電膜である。これらの機能画像５２は指示機能のみを有し、検知機能を有さなく、前記導電材料層１２（前記導電材料１２０）は検知機能を有するので、前記機能画像５２及び前記導電材料層１２は一緒に前記機能選択インタフェース５０を形成する。
【００１８】
前記上蓋１０及び前記機能選択インタフェース５０の組み合わせにおいて、前記機能選択インタフェース５０のみが画像を表示（静的な前記機能画像５２を表示する）する機能を有し、本実施例の機能選択装置の操作原理は、液晶表示装置やタッチ表示装置と異なる。
【００１９】
本実施例において、前記表示モジュール１４は、前記収容空間２８に設置され、且つ、前記機能モジュール１８の上方に位置しており、また、ダイヤル１４０、前記ダイヤル１４０に設置されたタイムスケール１４２（実体のタイムスケール、例えば、一時〜十二時等）及び前記タイムスケール１４２の上方に設置された少なくとも一つの指示器１４４（例えば、実体の時針、分針及び秒針等）を備えており、前記指示器１４４は前記ムーブメント１６によって駆動され、それにより、前記表示モジュール１４上のタイムスケール１４２と協力して時間を表示する。
【００２０】
なお、本実施例において、前記機能選択装置は指針式腕時計であり、前記の少なくとも一つの指示器１４４及び前記ムーブメント１６はモータによって駆動され、前記の少なくとも一つの指示器１４４が時針、分針及び秒針を備える場合、時針、分針及び秒針はそれぞれのモータ又は単一のモータに対応することができる。
【００２１】
前記リュウズ２２は前記機能選択装置の側面に設置されており、ユーザーはリュウズ２２上のノブを回転することにより、時間を調整したり、アラーム時刻を設定したりすることができる。
【００２２】
前記電池２４は前記ムーブメント１６及び/又は前記機能モジュール１８に必要な電力を供給することができ、前記電池２４は使い捨て電池であってもよく、充電式電池であってもよい。
【００２３】
前記機能モジュール１８は前記収容空間２８に設置されており、図２に示す通り、機能モジュール１８は電気接続基板１８０及び電気接続基板１８０の上に設置されたコントロールユニット１８２を備える。図４を参照すると、図４は本発明の一つの実施例に係るコントロールユニット１８２がモバイル端末４０と無線通信を行うことを示す模式図である。本発明のコントロールユニット１８２は、プロセッサ１８２０、少なくとも一つのセンサー１８２２、無線通信ユニット１８２４及びタッチ検出ユニット１８２６を備える。
【００２４】
前記無線通信ユニット１８２４は前記プロセッサ１８２０に電気的に接続されており、前記無線通信ユニット１８２４は無線通信アンテナ１８３０を通じて前記モバイル端末４０に無線通信することに用いられる。前記モバイル端末４０は無線信号を送受信するための無線信号トランシーバ４２を有し、前記無線信号トランシーバ４２は、例えば、ブルートゥース（Ｂｌｕｅｔｏｏｔｈ）トランシーバであってもよく、ＮＦＣ（Ｎｅａｒ Ｆｉｅｌｄ Ｃｏｍｍｕｎｉｃａｔｉｏｎ、近距離通信）トランシーバであってもよい。なお、前記機能選択装置が腕時計構造である場合、前記機能モジュール１８は前記腕時計構造の時計バンドに設置されることもできる。
【００２５】
前記の少なくとも一つのセンサー１８２２は前記プロセッサ１８２０に電気的に接続されており、前記機能選択装置で実行された手の動きを検知することに用いられ、前記の手の動きとして、例えば、タップ、スライド、震動等があるが、これに限定されない。
【００２６】
前記機能モジュール１８はさらに記憶ユニット１８２８を有することができ、前記記憶ユニット１８２８は、前記プロセッサ１８２０に必要な関連データを格納することに用いられ、前記記憶ユニット１８２８は前記プロセッサ１８２０に統合されることもできる。
【００２７】
前記タッチ検出ユニット１８２６は前記導電材料層１２及び前記プロセッサ１８２０に電気的に接続される。ユーザーが図２の前記上蓋１０又はその上方で動作を実行し、且つ、前記動作の位置が前記機能画像のいずれかの位置に対応する場合（例えば、前記上蓋１０をクリックし、又は、前記上蓋１０の上でスライドする）、前記タッチ検出ユニット１８２６は、前記導電材料層１２（導電材料１２０）を通じて信号の変化（例えば、ユーザーが前記上蓋１０をクリックすることによって発生した電流の変化）を検知することに用いられており、前記の信号の変化は、前記上蓋１０又は前記上蓋１０の上方で実行される前記動作によって生成されており、前記プロセッサ１８２０は、前記の信号の変化を受信することに用いられ、且つ、前記の信号の変化に応じて対応する命令を出力して、前記機能画像５２の前記いずれかに対応する機能を実行する。
【００２８】
一つの選択可能な実施例において、前記プロセッサ１８２０が前記の信号の変化を受信する場合、前記プロセッサ１８２０は、まず、ユーザーが確認するために、前記の信号の変化に応じて少なくとも一つの指示器１４４が前記機能画像５２の前記いずれかをポインティングするように制御し、ユーザーが確認した後、前記プロセッサ１８２０はさらに対応する命令を出力して前記機能画像５２の前記いずれかに対応する機能を実行する。即ち、前記プロセッサ１８２０が対応する命令を出力して前記機能画像５２のいずれかに対応する機能を実行する前に、まず、前記の少なくとも一つの指示器１４４が前記機能画像５２の前記いずれかをポインティングするように制御する。
【００２９】
または、前記の少なくとも一つのセンサー１８２２は前記機能選択装置で実行した動作又は手の動き（例えば、前記上蓋１０をクリックし、又は、前記上蓋１０の上でスライドする）を検知し、前記プロセッサ１８２０は、前記動作又は前記の手の動きによる信号の変化に応じて対応する命令を出力して、前記機能画像５２のいずれかに対応する機能を実行する。
【００３０】
図５及び図６を参照すると、図５は本発明の一つの実施例に係る機能選択インタフェース５０が前記上蓋１０の前記下表面に形成されていることを示す模式図である。図６は前記機能選択インタフェース５０を示す模式図である。
【００３１】
上記のように、本発明の一つの特徴は、前記機能選択インタフェース５０が前記上蓋１０の前記下表面に設置されていることにある。具体的には、前記機能画像５２の位置は前記上蓋１０の前記下表面のエッジ領域に対応するので、ユーザーが前記上蓋１０を通じて時間を見る場合、前記機能画像５２の影響を受けない。ユーザーは前記機能画像５２を通じて様々な機能を選択して、前記プロセッサ１８２０が前記機能画像５２に対応する機能を実行することができる（例えば、前記プロセッサ１８２０は前記無線通信ユニット１８２４及び前記無線通信アンテナ１８３０を通じて前記モバイル端末４０と無線通信を行う）。
【００３２】
なお、前記機能選択インタフェース５０が有する前記機能画像５２は、ユーザーがそのうちのいずれかの機能を選択するように、前記機能画像５２を表示する機能のみ有するので、前記の信号の変化（例えば、ユーザーが前記上蓋１０をクリックすることによって発生した電流の変化）を検知する機能は、前記機能選択インタフェース５０が有する前記導電材料層１２により実行する。
【００３３】
図７を参照すると、図７は本発明の他の一つの実施例に係る機能選択インタフェース５０が前記上蓋１０の外側に形成されていることを示す模式図である。本実施例において、前記機能選択インタフェース５０は、前記上蓋１０の前記外側に設置され、且つ、複数の機能画像５２を有する。前記機能選択インタフェース５０は、さらに誘電体材料層５４ （Ｄｉｅｌｅｃｔｒｉｃ Ｍａｔｅｒｉａｌ）及び導電材料層１２を備える。本実施例において、前記誘電体材料層５４は環状リングに作成されるが、これに限定されない。前記機能画像５２は前記誘電体材料層５４の上に形成され、誘電体材料層の下及び各機能画像５２に対応する位置に図２に示すような互いに接続されていない導電材料１２０（即ち、導電材料層１２）が形成されており、前記導電材料１２０は、各機能画像５２又はその上方で実行する動作を検知することに用いられる。前記機能選択インタフェース５０と前記上蓋１０は互いに独立したアセンブリである。さらに具体的には、前記機能選択インタフェース５０は前記上蓋１０を取り囲んでおり、前記機能選択インタフェース５０の設置位置は通常の腕時計のベゼル（Ｂｅｚｅｌ）の設置位置である。即ち、前記機能選択インタフェース５０は通常のベゼルを置換することに用いられる。
【００３４】
図４及び図７を参照する。ユーザーが前記上蓋１０又はその上方で動作を実行し、且つ、前記動作の位置が前記機能画像５２のいずれかに対応する場合（例えば、前記上蓋１０をクリックし、又は、前記上蓋１０の上でスライドする）、前記タッチ検出ユニット１８２６は、前記導電材料層１２（導電材料１２０）を通じて信号の変化（例えば、ユーザーが前記上蓋１０をクリックすることによって発生した電流の変化）を検知することに用いられており、前記の信号の変化は、前記上蓋１０又は前記上蓋１０の上方で実行された前記動作によって生成されており、前記プロセッサ１８２０は、前記の信号の変化を受信することに用いられ、且つ、前記の信号の変化に応じて対応する命令を出力して、前記機能画像５２の前記いずれかに対応する機能を実行する。
【００３５】
一つの選択可能な実施例において、前記プロセッサ１８２０が前記の信号の変化を受信する場合、前記プロセッサ１８２０は、まず、ユーザーに確認するために、前記の信号の変化に応じて少なくとも一つの指示器１４４が前記機能画像５２の前記いずれかをポインティングするように制御し、ユーザーが確認した後、前記プロセッサ１８２０はさらに対応する命令を出力して、前記機能画像５２の前記いずれかに対応する機能を実行する。
【００３６】
図７において、前記ベゼルの上に設置されている前記機能選択インタフェース５０はタッチ機能を有する。前記機能選択インタフェース５０は、前記機能画像５２に対応する導電材料層１２を介して前記タッチ検出ユニット１８２６に電気的に接続される。本実施例において、前記タッチ検出ユニット１８２６により前記機能選択インタフェース５０のタッチを直接に検知し、即ち、ユーザーが図７の前記機能選択インタフェース５０又はその上方で動作を実行し、且つ、前記機能画像５２のいずれかに対応する場合（例えば、その表面でスライド又はクリックする）、前記タッチユニット１８２６は、前記の対応する導電材料層１２の導電材料１２０を通じて信号の変化を検知することに用いられ、且つ、前記の信号の変化に応じて対応する命令を出力して、前記機能画像５２の前記いずれかに対応する機能を実行する。
【００３７】
一つの選択可能な実施例において、前記プロセッサ１８２０が前記の信号の変化を受信する場合、前記プロセッサ１８２０は、まず、ユーザーに確認するために、前記の信号の変化に応じて少なくとも一つの指示器１４４が前記機能画像５２の前記いずれかをポインティングするように制御し、ユーザーが確認した後、前記プロセッサ１８２０はさらに対応する命令を出力して前記機能画像５２の前記いずれかに対応する機能を実行し、前記上蓋１０によって信号の変化を検知するものではなく、本実施例の信号の変化は前記上蓋１０と関連がない。即ち、前記プロセッサ１８２０は、対応する命令を出力して前記機能画像５２のいずれかに対応する機能を実行する前に、まず、前記の少なくとも一つの指示器１４４が前記機能画像５２の前記いずれかをポインティングするように制御する。
【００３８】
本発明の機能選択装置において、前記プロセッサ１８２０がユーザーの命令を受信して前記機能選択装置がタイムモードではなく機能モードに入るように制御する場合（例えば、機能モードの画像機能を触発させる）、ユーザーがクリックして前記機能画像５２のいずれかを選択することにより、前記タッチ検出ユニット１８２６が前記導電材料層１２を通じて信号の変化を検知し、又は、前記タッチ検出ユニット１８２６がタッチを直接に検知し、又は、前記センサー１８２２が前記クリック動作を検知し、それにより、前記プロセッサ１８２０はクリックされた機能画像５２に対応する機能を実行する。上記の機能モードは一般的なタイム表示モードとは異なる。
【００３９】
上記の前記機能画像５２は様々な機能に対応し、例えば、ある一つの機能において、前記の少なくとも一つの指示器１４４はローカルタイム表示モードからデュアルタイム表示モード（ローカルタイム及びホームタイムを含む）に切り替えることができる。即ち、ユーザーが対応する機能画像５２を選択した後、前記の少なくとも一つの指示器１４４はローカルタイム表示モードからデュアルタイム表示モード（ローカルタイム及びホームタイムを含む）に切り替えることができる。
【００４０】
他の一つの機能において、前記の少なくとも一つの指示器１４４がタイム表示モードからコード表モードに切り替えることにより、前記の少なくとも一つの指示器１４４が命令を受信した後にタイミングを開始することができる。
【００４１】
他のもう一つの機能において、前記の少なくとも一つの指示器１４４はタイム表示モードから日付／曜日表示モードに切り替えることができる。前記の少なくとも一つの指示器１４４は、時針、分針及び秒針を備える。タイム表示モードから日付／曜日表示モードに切り替えた後、時針で日付数字の十の位を示し、分針で日付数字の一の位を示し、秒針で一週間のある日を示す。
【００４２】
他のもう一つの機能において、前記プロセッサ１８２０は前記無線通信ユニット１８２４を通じて携帯電話（外部装置、例えば、図４のモバイル端末４０）を制御して電話をかける機能を実行する。
【００４３】
他のもう一つの機能において、前記プロセッサ１８２０は前記無線通信ユニット１８２４を通じて携帯電話（外部装置、例えば、図４のモバイル端末４０）を制御してＳＯＳ通知の送信機能又はロケーション送信機能を実行する。
【００４４】
他のもう一つの機能において、前記プロセッサ１８２０は時刻修正機能を実行する。
【００４５】
他のもう一つの機能において、前記プロセッサ１８２０は時刻合わせ機能を実行する。
【００４６】
図８を参照し、図８は本発明の一つの実施例に係る機能選択装置の操作方法を示すフローチャート図である。
【００４７】
前記機能選択装置は、上蓋、機能選択インタフェース、ケース、下蓋、表示モジュール及び機能モジュールを備えており、前記機能選択インタフェースは前記上蓋の下表面に設置され、且つ、複数の機能画像及び導電材料層を有しており、前記導電材料層は複数の互いに接続されていない導電材料を有し、前記導電材料は前記機能画像の上方又は下方に形成されており、前記上蓋、前記ケース及び前記下蓋は収容空間を形成するように上から下の順に組み合わせされて、前記表示モジュールは前記収容空間に設置されており、前記表示モジュールはダイヤル、前記ダイヤルに設置されたタイムスケール及び前記タイムスケールに設置された少なくとも一つの指示器を備えており、前記機能モジュールは前記収容空間に設置され、且つ、タッチ検出ユニット及びプロセッサを備える。前記機能選択装置の操作方法は以下の操作を含む。
【００４８】
操作Ｓ１０において、前記タッチ検出ユニットは前記機能選択インタフェースが有する前記導電材料層を介して前記上蓋又はその上方の動作によって生成される信号の変化を検知し、そのうち、前記の信号の変化は、前記上蓋又はその上方で実行された動作及び前記機能画像のいずれかに対応することにより生成される。
【００４９】
操作Ｓ１２において、ユーザーが確認するために、前記プロセッサは前記の少なくとも一つの指示器が前記機能画像の前記いずれかをポインティングするように制御する。操作Ｓ１２は選択可能な操作である。
【００５０】
操作Ｓ１４において、前記プロセッサは、前記の信号の変化に応じて対応する命令を出力して、前記機能画像の前記いずれかに対応する機能を実行する。
【００５１】
図９を参照すると、図９は本発明の他の一つの実施例に係る機能選択装置の操作方法を示すフローチャート図である。
【００５２】
前記機能選択装置は、上蓋、機能選択インタフェース、ケース、下蓋、表示モジュール及び機能モジュールを備えており、前記機能選択インタフェースは前記上蓋の外側に設置され、且つ、複数の機能画像、誘電体材料層及び導電材料層を備えており、前記機能画像は前記誘電体材料層の上に形成されており、前記導電材料層は前記誘電体材料層の下に形成されており、前記ケース及び前記下蓋は収容空間を形成するように上から下の順に組み合わせされて、前記表示モジュールは前記収容空間に設置されており、前記表示モジュールは、ダイヤル、前記ダイヤルに設置されたタイムスケール及び前記タイムスケールに設置された少なくとも一つの指示器を備えており、前記機能モジュールは前記収容空間に設置され、且つ、タッチ検出ユニット及びプロセッサを備える。前記機能選択装置の操作方法は以下の操作を含む。
【００５３】
操作Ｓ２０において、前記タッチ検出ユニットは前記機能選択インタフェースが有する前記導電材料層を介して信号の変化を検知し、そのうち、前記の信号の変化は、前記機能選択インタフェース又はその上方で実行される動作によって生成される。
【００５４】
操作Ｓ２２において、ユーザーが確認するために、前記プロセッサは前記の少なくとも一つの指示器が前記機能画像の前記いずれかをポインティングするように制御する。操作Ｓ２２は選択可能な操作である。
【００５５】
操作Ｓ２４において、前記プロセッサは、前記の信号の変化に応じて対応する命令を出力して、前記機能画像の前記いずれかに対応する機能を実行する。
【００５６】
以下の説明は図８及び図９の実施例に適用することができる。
【００５７】
上記の前記機能画像は様々な機能に対応し、例えば、ある一つの機能において、前記の少なくとも一つの指示器はローカルタイム表示モードからデュアルタイム表示モード（ローカルタイム及びホームタイムを含む）に切り替えることができる。
【００５８】
他の一つの機能において、前記の少なくとも一つの指示器がタイム表示モードからコード表モードに切り替えることにより、前記の少なくとも一つの指示器が命令を受信した後にタイミングを開始することができる。
【００５９】
他のもう一つの機能において、前記の少なくとも一つの指示器はタイム表示モードから日付／曜日表示モードに切り替えることができる。前記の少なくとも一つの指示器は、時針、分針及び秒針を備える。タイム表示モードから日付／曜日表示モードに切り替えた後、時針で日付数字の十の位を示し、分針で日付数字の一の位を示し、秒針で一週間のある日を示す。
【００６０】
他のもう一つの機能において、前記プロセッサは前記無線通信ユニットを通じて携帯電話（外部装置、例えば、図４のモバイル端末４０）を制御して電話をかける機能を実行する。
【００６１】
他のもう一つの機能において、前記プロセッサは前記無線通信ユニットを通じて携帯電話（外部装置、例えば、図４のモバイル端末４０）を制御してＳＯＳ通知の送信機能又はロケーション送信機能を実行する。
【００６２】
他のもう一つの機能において、前記プロセッサは時刻修正の機能を実行する。
【００６３】
他のもう一つの機能において、前記プロセッサは時刻合わせ機能を実行する。
【００６４】
本発明の機能選択装置及びその操作方法において、選択及び切り替えに利用可能な複数の機能を有するので、機能選択装置は時間以外の他の情報を表示して複数の機能を実行することができる。
【００６５】
以上、本発明の好ましい実施例を説明したが、本発明はこれらの実施例に限定されず、本発明の思想と範囲を逸脱しない限り、当業者は様々な変更又は修正を行うことができる。従って、本発明の保護範囲は添付された請求の範囲によって限定される。
【符号の説明】
【００６６】
１０   上蓋
１２   導電材料層
１４   表示モジュール
１６   ムーブメント
１８   機能モジュール
２０   ケース
２２   リュウズ
２４   電池
２６   下蓋
２８   収容空間
４０   モバイル端末
４２   無線信号トランシーバ
５０   機能選択インタフェース
５２   機能画像
５４   誘電体材料層
１２０   導電材料
１４０   ダイヤル
１４２   タイムスケール
１４４   指示器
１８０   電気接続基板
１８２   コントロールユニット
１８２０  プロセッサ
１８２２  センサー
１８２４  無線通信ユニット
１８２６  タッチ検出ユニット
１８２８  記憶ユニット
１８３０       無線通信アンテナ
Ｓ１０-Ｓ１４、Ｓ２０-Ｓ２４ ステップ
【図１】
2019128345.tif 000003
【図２】
2019128345.tif 000004
【図３】
2019128345.tif 000005
【図４】
2019128345.tif 000006
【図５】
2019128345.tif 000007
【図６】
2019128345.tif 000008
【図７】
2019128345.tif 000009
【図８】
2019128345.tif 000010
【図９】
2019128345.tif 000011